(57)【要約】【課題】ユーザ体験に優れたタッチ用指サックを提供すること。【解決手段】本発明に係るタッチ用指サックは、電子装置のタッチパネルに対してタッチ操作を行うことに用いられ、且つ主体部と、主体部の外面に設けられ且つ少なくとも１つのタッチボタンを有するタッチエリアと、主体部に設けられたバイブレーターと、連接部品と、を備える。バイブレーターは、連接部品を介して電子装置に電気的に接続され、且つ電子装置から伝送してきた振動信号に応答して、電子装置と同期して振動する。【選択図】図２
2015127948.tif 000002
【特許請求の範囲】
【請求項１】
電子装置のタッチパネルに対してタッチ操作を行うことに用いられるタッチ用指サックであって、
前記タッチ用指サックは、主体部と、前記主体部の外面に設けられ且つ少なくとも１つのタッチボタンを有するタッチエリアと、前記主体部に設けられたバイブレーターと、連接部品と、を備え、
前記バイブレーターは、前記連接部品を介して前記電子装置に電気的に接続され、
前記バイブレーターは、前記電子装置から伝送されてきた振動信号に応答して、前記電子装置と同期して振動することを特徴とするタッチ用指サック。
【請求項２】
前記主体部は、弾性導電ゴムにより製造され、且つ円筒状構造であることを特徴とする請求項１に記載のタッチ用指サック。
【請求項３】
前記主体部の両端が開口しており、前記主体部の一端は、ユーザの指に適合する開口部を有し、この開口部から前記タッチ用指サック内にユーザの指を挿入して、前記タッチ用指サックを指にはめることを特徴とする請求項２に記載のタッチ用指サック。
【請求項４】
前記タッチボタンは、前記主体部の外面から突出して設けられている第一タッチボタン、第二タッチボタン、第三タッチボタン、第四タッチボタン、及び中心タッチボタンを含み、
前記第一タッチボタン、前記第二タッチボタン、前記第三タッチボタン、及び前記第四タッチボタンは、前記中心タッチボタンを取り囲むように設けられていることを特徴とする請求項１に記載のタッチ用指サック。
【請求項５】
前記第一タッチボタン及び前記第二タッチボタンは、前記主体部の長軸方向に沿って互いに間隔をあけて位置し、前記第三タッチボタン及び前記第四タッチボタンは、前記主体部の短軸方向に沿って互いに間隔をあけて位置し、
前記第一タッチボタンと前記第二タッチボタンとの接続線及び前記第三タッチボタンと前記第四タッチボタンとの接続線は、それぞれ前記中心タッチボタンを通過して、且つ互いに垂直に交わっていることを特徴とする請求項４に記載のタッチ用指サック。
【請求項６】
前記第一タッチボタン、前記第二タッチボタン、前記第三タッチボタン、前記第四タッチボタン、及び前記中心タッチボタンは、全て弾性導電ゴムからなることを特徴とする請求項４に記載のタッチ用指サック。
【請求項７】
前記連接部品は、ケーブル及びＵＳＢコネクタを含み、前記ケーブルの一端は前記バイブレーターに電気的に接続され、前記ケーブルの他端は前記ＵＳＢコネクタに電気的に接続されていることを特徴とする請求項１に記載のタッチ用指サック。
【請求項８】
タッチパネルを備える電子装置に用いられるタッチ用指サックであって、
前記タッチ用指サックは、主体部と、前記主体部の外面に設けられ且つ少なくとも１つのタッチボタンを有するタッチエリアと、を備え、
前記主体部は、弾性導電ゴムにより製造され、且つ円筒状構造であり、前記少なくとも１つのタッチボタンは、前記タッチパネルに対してタッチ入力操作を行うことに用いられることを特徴とするタッチ用指サック。
【請求項９】
前記タッチ用指サックは、バイブレーター及び連接部品をさらに備え、前記バイブレーターは、前記主体部に設けられ且つ前記連接部品を介して前記電子装置に電気的に接続され、前記バイブレーターは、前記電子装置からの振動信号に応答して、前記電子装置と同期して振動することを特徴とする請求項８に記載のタッチ用指サック。
【発明の詳細な説明】
【技術分野】
【０００１】
本発明は、指サックに関し、特に電子装置のタッチパネルを操作するためのタッチ用指サックに関するものである。
【背景技術】
【０００２】
近年、タッチパネルを備えた携帯電話機又はタブレットＰＣが消費者に好まれている。これらの電子装置を使用する場合、例えば、ゲームをする場合、時に素早く且つ連続してタッチパネルの異なる位置をタッチして、電子装置をコントロールする必要がある。この場合、指でタッチ操作を直接行うと、タッチ方向及びタッチポイントが精確でない場合があり、タッチ式電子装置の使用体験に影響を与える。
【０００３】
上記の問題を解決するために、タッチ用指サックを利用することが提案された。このようなタッチ用指サックを利用することによって、タッチ操作の精確性が向上されることが実証されたが、従来のタッチ用指サックは、全て一点のタッチ操作に適しているため、複雑なマルチタッチ操作又はスライド操作にあまり適さない。
【発明の概要】
【発明が解決しようとする課題】
【０００４】
以上の問題点に鑑みて、本発明は、ユーザ体験に優れたタッチ用指サックを提供することを目的とする。
【課題を解決するための手段】
【０００５】
上記の課題を解決するために、本発明に係るタッチ用指サックは、電子装置のタッチパネルに対してタッチ操作を行うことに用いられ、且つ主体部と、主体部の外面に設けられ且つ少なくとも１つのタッチボタンを有するタッチエリアと、主体部に設けられたバイブレーターと、連接部品と、を備える。バイブレーターは、連接部品を介して電子装置に電気的に接続され、且つ電子装置から伝送されてきた振動信号に応答して、電子装置と同期して振動する。
【０００６】
また、上記の課題を解決するために、本発明に係るタッチ用指サックは、タッチパネルを備える電子装置に用いられ、タッチ用指サックは、主体部と、主体部の外面に設けられ且つ少なくとも１つのタッチボタンを有するタッチエリアと、を備え、主体部は、弾性導電ゴムにより製造され、且つ円筒状構造であり、少なくとも１つのタッチボタンは、タッチパネルに対してタッチ入力操作を行うことに用いられる。
【発明の効果】
【０００７】
従来の技術と異なり、本発明のタッチ用指サックを使用することによって、ユーザの電子装置のタッチパネルに対してタッチ操作を行う時の利便性、精確性、及び鋭敏度が大きく向上される。また、本発明は、連接部品を介して、電子装置にバイブレーターを接続して、バイブレーターと電子装置との同期振動を実現する。これによって、これにより、タッチ操作の体感はあきらかになり、ユーザ体験は著しく改善される。
【図面の簡単な説明】
【０００８】
【図１】本発明の実施形態に係るタッチ用指サックの動作状態を示す図である。
【図２】図１に示したタッチ用指サックの具体的な構造を示す図である。
【発明を実施するための形態】
【０００９】
図１に示すように、本発明の実施形態に係るタッチ用指サック１００は、スマートフォン、タブレットＰＣ等のタッチパネルを備える電子装置２００に用いられ、ユーザのタッチパネルに対する入力操作を補助する。このタッチ用指サック１００を指にはめることによって、ユーザが電子装置２００のタッチパネルに対してタッチ操作する際の精確性及び鋭敏度は大きく向上される。
【００１０】
電子装置２００は、タッチパネル２１０及び接続ポート２２０を備える。タッチパネル２１０は、ゲームの操作インタフェース又はアプリケーションのユーザーインターフェース等の画像を表示する。接続ポート２２０は、タッチ信号を出力し、且つタッチ用指サック１００に給電する。本実施形態において、接続ポート２２０は、電子装置２００がユーザのタッチ操作に応答して生成した振動信号をタッチ操作に同期して出力する。
【００１１】
図２に示すように、本発明のタッチ用指サック１００は、主体部１０と、タッチエリア１２と、バイブレーター１４と、連接部品１６と、を備える。タッチエリア１２及びバイブレーター１４は、主体部１０にそれぞれ設けられている。連接部品１６は、タッチ用指サック１００と電子装置２００とを互いに連接することに用いられる。
【００１２】
主体部１０は、弾性導電ゴムにより製造され、且つ円筒状の構造である。また、その両端は開口している。ユーザは、主体部１０の一端の開口部１１から指をタッチ用指サック１００内に挿入して、タッチ用指サック１００を指にはめる。本実施形態において、主体部１０の形状は、人の指を模造して設計される。主体部１０の直径は、開口部１１の一端から他端に向かって次第に小さくなる。
【００１３】
タッチエリア１２は、主体部１０の外面に設けられており、且つ主体部１０の外面から突出した第一タッチボタン１２１、第二タッチボタン１２２、第三タッチボタン１２３、第四タッチボタン１２４、及び中心タッチボタン１２５を備える。第一タッチボタン１２１、第二タッチボタン１２２、第三タッチボタン１２３、及び第四タッチボタン１２４は、中心タッチボタン１２５を取り囲むように設けられている。また、第一タッチボタン１２１及び第二タッチボタン１２２は、主体部１０の長軸方向に沿って互いに間隔をあけて位置し、第三タッチボタン１２３及び第四タッチボタン１２４は、主体部１０の短軸方向に沿って互いに間隔をあけて位置している。さらに、第一タッチボタン１２１と第二タッチボタン１２２との接続線及び第三タッチボタン１２３と第四タッチボタン１２４との接続線は、それぞれ中心タッチボタン１２５を通過し、且つ互いに垂直に交わっている。本実施形態において、上記の各タッチボタンは、それぞれエンボス加工等の方法によって、主体部１０の外面に形成される。また、各タッチボタンは全て弾性導電ゴムからなる。
【００１４】
バイブレーター１４は、主体部１０上に設けられている。本実施形態において、バイブレーター１４は、主体部１０の外面に設けられ、且つ連接部品１６を介して電子装置２００に連接されている。バイブレーター１４は、電子装置２００からの振動信号を受信して、前記振動信号により起動されて電子装置２００と同時に振動する。
【００１５】
連接部品１６は、互いに連接されているケーブル１６１及びＵＳＢコネクタ１６２を備える。ケーブル１６１の一端はバイブレーター１４に電気的に接続され、ケーブル１６１の他端はＵＳＢコネクタ１６２を介して電子装置２００の接続ポート２２０に電気的に接続される。連接部品１６は、ユーザがタッチパネルをタッチする過程又はタッチパネルに接触する過程において、電子装置２００からの振動信号を伝送して、バイブレーター１４と電子装置２００との同期振動を実現する。これと同時に、電子装置２００は、連接部品１６を介してバイブレーター１４に給電する。
【００１６】
以下、本発明のタッチ用指サック１００の使用方法及び動作原理について詳細に説明する。
【００１７】
タッチ用指サック１００を使用する場合、ユーザの指を開口部１１からタッチ用指サック１００内に挿入して、タッチ用指サック１００を指にはめる。続いて、ＵＳＢコネクタ１６２を電子装置２００の接続ポート２２０に接続させて、バイブレーター１４と電子装置２００との電気接続関係を確立する。ユーザは、電子装置２００のタッチパネル２１０を操作する時に、タッチ用指サック１００のタッチエリア１２をタッチパネル２１０に接触させれば、電子装置２００に対して入力操作を行うことができる。この時、ユーザのタッチ操作に伴って、電子装置２００が生成した振動信号は、連接部品１６を介してバイブレーター１４まで伝送されて、バイブレーター１４を電子装置２００と同期させてバイブレーター１４を振動させる。
【００１８】
本発明のタッチ用指サック１００の使用方法は、ユーザのタッチ操作の習慣に制限されない。即ち、本発明のタッチ用指サック１００は、右手操作或いは左手操作のどちらにも対応する。また、マルチタッチボタンが設けられているため、ユーザは、タッチ操作の方向を切り換える際非常に自由であり、ユーザは、アプリケーション又は自身の操作習慣によって適時にタッチ操作の方向を変えることができる。
【００１９】
上記の記載から分かるように、本発明のタッチ用指サック１００は、主体部１０に設けられた第一タッチボタン１２１、第二タッチボタン１２２、第三タッチボタン１２３、第四タッチボタン１２４、及び中心タッチボタン１２５によって、ユーザが電子装置２００のタッチパネル２１０に対してタッチ操作を行う時の利便性、精確性、及び鋭敏度を向上させる。また、バイブレーター１４は、連接部品１６を介して電子装置２００に電気的に接続されるため、タッチ操作の過程において、バイブレーター１４と電子装置２００とは同時に振動する。これにより、タッチ操作の体感はあきらかになり、ユーザ体験は大きく改善される。
【符号の説明】
【００２０】
１００  タッチ用指サック
２００  電子装置
２１０  タッチパネル
２２０  接続ポート
１０  主体部
１１  開口部
１２  タッチエリア
１２１  第一タッチボタン
１２２  第二タッチボタン
１２３  第三タッチボタン
１２４  第四タッチボタン
１２５  中心タッチボタン
１４  バイブレーター
１６  連接部品
１６１  ケーブル
１６２  ＵＳＢコネクタ
【図１】
2015127948.tif 000003
【図２】
2015127948.tif 000004